(57)【要約】【課題】検査時間を短縮できて測定精度を向上できる液体検査用具を提供する。【解決手段】液体検査用具は、吸液体１５と、吸液体１５を筒状に囲む非吸液性の保持体２０と、を備え、検査対象液に接触させる接液部１０ｅが、吸収体１５を保持体２０から露出させて設けられると共に、吸液体１５を外部に連通させる開放部２３が、接液部１０ｅから離間した位置で保持体２０に設けられている。【選択図】図１
2016000061.tif 000002
【特許請求の範囲】
【請求項１】
吸液体と、該吸液体を筒状に囲む非吸液性の保持体と、を備え、
検査対象液に接触させる接液部が、上記吸液体を上記保持体から露出させることで設けられると共に、上記吸液体を外部に連通させる開放部が、上記保持体の上記接液部から離間した位置に設けられている、液体検査用具。
【請求項２】
前記保持体は、前記吸液体より大きく形成され表面側に該吸液体を保持する保持基部と、該保持基部の表面側及び上記吸液体の表面側を被覆する表面カバーと、を備えている、請求項１に記載の液体検査用具。
【請求項３】
前記開放部は、前記保持基部、吸液体及び表面カバーを貫通した貫通孔からなる、請求項２に記載の液体検査用具。
【請求項４】
前記吸液体が隔離部を介して複数設けられ、該複数の吸液体がそれぞれ異なる前記接液部で露出している、請求項１乃至３の何れかに記載の液体検査用具。
【請求項５】
互いに異なる形状を有する複数の前記開放部が、異なる位置に設けられている、請求項１乃至４の何れかに記載の液体検査用具。
【請求項６】
前記吸液体の両側方には側方部が前記保持基部に固定して設けられ、
前記表面カバーは上記両側方部の表面側及び前記吸液体の表面側を被覆している、請求項１乃至５の何れかに記載の液体検査用具。
【請求項７】
前記保持体は、長手方向中腹部から前記接液部側に向けて徐々に幅が狭くなる先細り形状を有している、請求項１乃至６の何れかに記載の液体検査用具。
【発明の詳細な説明】
【技術分野】
【０００１】
本発明は、検査対象液に接触させて吸液することで検査を行う液体検査用具に関する。
【背景技術】
【０００２】
従来の液体検査用具として、例えば下記特許文献１、２には被検者の涙液量を測定するための涙液メニスカス検査用具が提案されている。
特許文献１の涙液メニスカス検査用具では、細長い吸水性部材を有し、この吸水性部材に長さ方向に延びる溝を設けて検査用具が構成されている。
特許文献２の涙液メニスカス検査用具では、合成樹脂材料又は合成ゴム材料からなる本体部に溝を設け、この溝に吸水性部材を配置して検査用具が構成されている。
【０００３】
これらの検査用具では、端部を涙液メニスカスに接触させることで、吸水性部材に涙液を吸水させ、その到達位置を測定することで涙液量を検出している。このような検査用具によれば、従来のシルマー法等による試験に比べ、検査時間を大幅に短縮することが可能である。
【先行技術文献】
【特許文献】
【０００４】
【特許文献１】特開２００５−２５３７００号公報
【特許文献２】特開２００８−２５９５９０号公報
【発明の概要】
【発明が解決しようとする課題】
【０００５】
しかしながら、従来の検査用具では、シルマー法等の検査方法に比べれば検査時間を短縮できるものの、被検者にとってはまだ検査時間は長く、更なる検査時間の短縮化が望まれていた。
また従来の検査用具では、吸水性部材によっては吸水時の膨潤程度が異なることがあり、その分、吸水性部材内の容積が変動して測定精度が低下するような可能性もあった。
さらに吸水性部材の表面が露出した構造のため、使用時に手指が吸水性部材に直接接触して手指の油分等が付着したり、製造時や運搬時に吸水性部材に油分が付着することがあった。その場合、吸水性部材に吸収される涙液の量や吸収速度に誤差が生じていた。
【０００６】
そこで、本発明では、検査時間を短縮でき、測定精度を向上できる液体検査用具を提供することを課題とする。
【課題を解決するための手段】
【０００７】
上記目的を達成する本発明の液体検査用具は、吸液体と、吸液体を筒状に囲む非吸液性の保持体と、を備え、検査対象液に接触させる接液部が吸液体を保持体から露出させることで設けられると共に、吸液体を外部に連通させる開放部が保持体の接液部から離間した位置に設けられている。
保持体は、吸液体より大きく形成されて表面側に吸液体を保持する保持基部と、保持基部の表面側及び吸液体の表面側を被覆する表面カバーと、を備えたものであってもよい。
【０００８】
この液体検査用具においては、開放部は保持基部、吸液体及び表面カバーを貫通した貫通孔からなるものが好適である。
吸液体は、好ましくは、隔離部を介して複数設けられ、複数の吸液体がそれぞれ異なる接液部で露出している。その場合、互いに異なる形状を有する複数の開放部が異なる位置に設けられているのが好ましい。
この液体検査用具では、吸液体の両側方に側方部が保持基部に固定して設けられ、表面カバーは両側方部の表面側及び吸液体の表面側を被覆していてもよい。
また保持体は長手方向中腹部から接液部側に向けて徐々に幅が狭くなる先細り形状を有していてもよい。
【発明の効果】
【０００９】
本発明の液体検査用具によれば、吸液体を保持体から露出させることで接液部が設けられているので、検査対象液を接液部に接触させると、検査対象液が毛細管現象により吸液体に吸液される。その際、吸液体が保持体により筒状に囲まれているので、吸液体に手指などが直接接触することがなく、従来のように吸液体に付着した油分などにより検査対象液の吸液が阻害されることを防止できる。また非吸液性の保持体で筒状に囲まれていると、吸液された検査対象液が吸液体の表面などに余分に付着したり、吸液した吸液体が過剰に膨潤したりすることがない。そのため少量の検査対象液であっても精度よく検査を行うことができる。
【００１０】
さらに吸液体が接液部で保持体から露出すると共に、接液部から離間した開放部で外部に連通しているので、吸液体が接液部から検査対象液を吸液した際、吸液体内に存在する空気が容易に開放部から排出でき、内部に存在する空気により吸液速度が低下することを防止できる。その結果、検査対象液を短時間で吸引して液体の測定を行うことが可能で、検査時間を短縮でき、測定精度を向上できる液体検査用具を提供することが可能である。
【図面の簡単な説明】
【００１１】
【図１】本発明の第１実施形態に係る液体検査用具の正面図である。
【図２】本発明の第１実施形態に係る液体検査用具の縦方向断面図である。
【図３】本発明の第１実施形態に係る液体検査用具の横方向断面図である。
【図４】本発明の第２実施形態に係る液体検査用具の正面図である。
【図５】本発明の第２実施形態に係る液体検査用具の縦方向断面図である。
【図６】本発明の第２実施形態に係る液体検査用具の変形例を示す正面図である。
【図７】本発明の第２実施形態に係る液体検査用具の他の変形例を示す正面図である。
【図８】本発明の第２実施形態に係る液体検査用具のさらに他の変形例を示す正面図である。
【図９】実施例において、アクリル樹脂部材に設けた溝に生理食塩水を貯留して測定した結果を示すグラフである。
【図１０】実施例において、フッ素樹脂部材に設けた溝に生理食塩水を貯留して測定した結果を示すグラフである。
【発明を実施するための形態】
【００１２】
［第１実施形態］
以下、本発明の実施形態について図を用いて説明する。この実施形態は涙液メニスカスの測定用具の例である。
図１乃至図３に示すように、本実施形態の液体検査用具１０は、一軸方向に沿って長尺に延びた薄板形状を有し、吸液性を有する帯状の吸液体１５と、吸液体１５を筒状に囲んで該収容体１５を保持する非吸液性の保持体２０と、を備えている。
ここで吸液性とは、液体が表面だけでなく内部まで吸収可能な性質である。非吸液性はできるだけ内部に液体を吸収しない性質であることが好適である。
【００１３】
長手方向の端部には、吸液体１５を保持体２０から露出させることで検査対象液と接触させるための接液部１０ｅが設けられ、接液部１０ｅから離間した位置には、吸液体１５を保持体２０から露出させることで外部に連通させた開放部２３が、保持体２０に設けられている。接液部１０ｅは正面視で円弧形状に形成されており、保持体２０の端部と吸液体１５の端部とは同じ形状で積層配置されている。
【００１４】
吸液体１５は、保持基部１１よりも幅及び長さが小さい帯状に形成され、保持体２０に長手方向に沿って固定されている。ここでは略全長で一定幅及び厚みとなるように形成されている。
吸液体１５は、検査対象の液を接液部１０ｅに配置された端部に接触させた際、吸液体１５が検査対象の液体を吸収可能な吸液性を有する。例えば吸液体１５に検査対象の液体が接触することで得られる表面張力により吸引してもよい。
この吸液体１５の材料には、検査対象の液体に対して親和性が高く、多数の空隙を内部に有する材料を用いるのがよい。また使用時に保持体２０を変形させた際に破損することを防止するため、柔軟性を有する材料を用いるのが好適である。
【００１５】
吸収体１５の材料としては、例えば各種樹脂、レーヨン、パルプ等の繊維、織布、不織布、紙などを使用してもよい。液体を吸収できるように内部に多数の微細な空隙を有しているのが好ましく、例えば空隙率が５０％〜９５％のような材料を用いてもよい。空隙率が過剰に大きいと吸液体１５の形状を安定して保ち難くなり、測定時に誤差が生じ易くなる。一方、過剰に小さいと吸液した際、単位長さあたりの液量が少なくなるため液体検査用具１０の長さが長くなる。吸液体１５の材料としては、例えば坪量が３０ｇ／ｍ2〜１００ｇ／ｍ2のようなものを使用してもよく、更に密度が０．０５〜０．３ｇ／ｃｍ3のようなものを使用してもよい。さらに吸液体１５は、吸液性の層のみからなる単層構造体であってもよく、吸液性の層と他の層との多層構造体であってもよい。
【００１６】
吸液体１５の幅、厚み、長さは、検査対象液を吸液させた際、所望の量を所望の範囲に吸引できるようにするのがよい。ここでは吸液体１５が長手方向の略全長で厚み及び幅が略一定に形成されている。これにより検査対象液を吸引した際、吸液体１５の液面位置を吸引液量に対して精度良く比例して変位させることができる。
吸液体１５の厚み、幅及び長さは、吸液体１５の材質や吸引させる液量等に応じて設定することができ、ここでは各検査において吸引させる検査対象液量が０．５μＬ〜５μＬのとき、断面積を  ０．１〜０．５ｍｍ2とし、長さを２０〜６０ｍｍとし、厚みを０．２〜０．６ｍｍとしている。
【００１７】
吸液体１５は、少なくとも背面全体、好ましくは背面及び表面全体、より好ましくは側周面全体が保持体２０に隙間無く密着して接合されている。吸液体１５と保持体２０との間に間隙があると、その間隙に吸引された液が配置されることで、吸引した液量に対する液面位置の誤差が生じ易くなる。
【００１８】
検査時の取り扱いを容易にするため、吸液体１５を構成する材料を鉛直方向に配置して下端側から検査対象液を吸水させたとき、吸液速度が速い材料であることが望ましい。
吸水速度は、吸液体１５を構成する材料から吸液体１５と同一の厚みで短冊状の試験片を形成し、この試験片を単体で鉛直方向に配置し、貯留された十分な量の検査対象液に試験片の下端側０．１ｍｍ〜３ｍｍを５秒間浸した際、吸水された検査対象液の最も高い位置と検査対象液の液面との間の距離により測定することができる。このような吸水速度は少なくとも１ｍｍ／ｓｅｃ以上、好ましくは１０ｍｍ／ｓｅｃ以上とするのがよい。なお、過剰に大きいと、得られる液体検査用具の全長が長くなるため、例えば３０ｍｍ／ｓｅｃ以下の範囲としてもよい。
【００１９】
なお吸液体１５には表面に長手方向に延びるスリットを単数又は複数設けることで、吸引力を向上していてもよい。スリットは厚み方向の単なる切込み、Ｖ字状溝、半円形溝などにしてもよく、多い程、表面張力による液体の吸引力を向上できる。
【００２０】
吸液体１５又は吸液体１５と接触する保持体２０には、検査対象の液体に接触することで吸液体１５の色を変化させるなど、吸液体１５に吸引された液体や液体界面を視認し易くする着色表示部１２が設けられている。
【００２１】
着色表示部１２は検査対象液により溶解又は分散可能な染料等により形成されている。ドライマウス、ドライアイなど人体に接触させて使用する液体検査用具１０の場合には、例えば青色一号（ブリリアントブルーＦＣＦ）等を使用することが好ましい。この着色表示部１２は、保持体２０の両端近傍における各接液部１０ｅから離間した位置の吸液体１５表面に付着浸透させている。着色表示部１２を一部に付着させる方法は任意であるが、例えば印刷等により吸液体１５を横断するラインとして形成してもよく、ドットとして形成してもよい。
【００２２】
また本実施形態では、他の着色表示部１２として、吸液体１５全体にｐＨ指示薬を含浸させることができる。吸液体１５にｐＨ指示薬を含浸させると、検査対象液の量の検査を行いつつ、ｐＨも測定することができる。ｐＨ指示薬としては、検査対象液に応じて適宜選択することができ、例えば涙液等の体液の場合、フェノールレッド等を用い得る。吸液体１５にｐＨ指示薬を含浸させる方法は特に限定されないが、例えば予め吸液体１５にｐＨ指示薬を含有した溶液を含浸させ、乾燥させておいてもよい。
【００２３】
一方、保持体２０は、薄肉の帯板状に形成された非吸液性の保持基部１１と、保持基部１１の表面側に固定された非吸液性の側方部１３と、保持基部１１及び側方部１３の表面側を被覆する表面カバー１９と、を備えている。
【００２４】
保持基部１１は、収液体１５より大きく形成され、表面側に吸液体１５の背面側が固定されるもので、検査対象液を内部に吸液しない非吸液性の材料からなるシート、フィルム、粘着剤が片面に付着したテープなどにより形成されている。保持基部１１に非吸液性の材料を使用すると、保持基部１１に検査対象液が吸収される量を出来るだけ小さく抑えることができ、測定誤差を少なくできる。
【００２５】
側方部１３は、吸液体１５の左右側縁に全長で接するように長手方向に連続して配置されて、背面側で保持基部１１の表面に略全長で密着して固定されている。側方部１３は保持基部１１と一体に構成されていてもよい。この側方部１３は、保持基部１１及び吸液体１５を補強し、また吸液体１５に吸液された液体が吸液体１５の側方に広がることを防止するものである。側方部１３は保持基材１１と同様に非吸液性の材料からなり、例えばウレタンフィルムなどを使用してもよい。
本実施形態では、この側方部１３に、液体量の検査の際使用される各種の目盛り２１が印刷されている。
【００２６】
表面カバー１９は、吸液体１５及び側方部１３に貼り付けて両者の表面側を被覆して保護するものである。ここでは表面カバー１９の略全体が吸液体１５及び側方部１３の表面に密着して固定されている。表面カバー１９により、吸液体１５の表面側を保持基部１１の表面側と共に被覆した状態では、吸液体１５が保持基部１１と表面カバー１９との間に挟持されることで吸液体１５の厚みが圧縮されて固定されている。ここでは圧縮された吸液体１５が側方部１３と同等の厚みとなっている。
【００２７】
表面カバー１９は、検査対象液を内部に吸液しない非吸液性の材料からなるシート、フィルム、粘着剤が片面に付着したテープなどにより形成されている。表面カバー１９に非吸液性の材料を使用することで、表面カバー１９に検査対象液が吸収される量を出来るだけ小さく抑えて測定誤差を少なくできる。
またこの表面カバー１９は、目盛り２１、着色表示部１２、ｐＨ指示薬等を視認できる程度の透明性を有するものを使用する。吸液体１５や吸液体１５に吸引された検査対象液を視認できる程度に透明であるのが特に好ましい。なお、一方面に粘着材が付着された透明なフィルムであれば、液体検査用具１０の製造が容易になり好適である。
【００２８】
このような液体検査用具１０では、図３に示すように、保持基部１１、一対の側方部１３及び表面カバー１９により筒状に囲まれた状態で吸液体１５が配置されており、吸液体１５が一端部で接液部１０ｅに配置されることで外部に露出している。
一方、吸液体１５の他端部は、保持基部１１、一対の側方部１３及び表面カバー１９の長手方向中間位置に配置されている。そのため他端部側に保持基部１１又は表面カバー１９を貫通した開放部２３が設けられ、この開放部２３により吸液体１５が外部に連通させる構成とされている。
この実施形態の開放部２３は、吸液体１５の他端部側に保持基部１１、吸液体１５及び表面カバー１９を貫通する貫通孔からなる。これにより吸液体１５は接液部１０ｅと開放部２３とに両端が外部に露出している。
【００２９】
次に、このような構成の液体検査用具１０を用いて検査対象液の測定を行う方法について説明する。ここでは検査対象液の量を測定する。
検査対象の液体は、吸液体１５により吸引可能な液であれば、特に制限はなく、例えば涙液や唾液等の体液、各種の水溶液、水性分散液、非水性液等であってもよい。本実施形態は涙液メニスカスの検査を行う。
【００３０】
まず液体検査用具１０を把持し、一端の接液部１０ｅを受検者の一方の目の下眼瞼に接触させる。すると涙液が液体検査用具１０の端部に露出しいている吸液体１５に接触することで、毛細管現象により吸液される。
【００３１】
吸液された涙液が着色表示部１２に接触することで、着色表示部の着色材料が溶解されて、涙液と共に吸液体１５にさらに吸液されて液界面が他端側に移動する。そして下眼瞼の涙液量に応じた量が吸液体１５に吸引されることで終了し、そのときの吸液体１５の液界面の到達位置を表面カバー１９を透して表面側から視認し、目盛り２１を確認することで涙液量を測定する。またｐＨ指示薬が含浸されているため、吸液体１５の色により涙液のｐＨも確認する。これにより受検者の涙液メニスカスの検査を終了する。
【００３２】
以上のような液体検査用具１０によれば、接液部１０ｅで吸液体１５が保持体２０から露出しているので、検査対象液を接液部１０ｅに接触させると、検査対象液が毛細管現象により吸液体１５に吸液される。
この液体検査用具１０では、吸液体１５が保持体２０で筒状に囲まれているので、吸液体１５に手指などが直接接触することがなく、従来のように吸液体１５に油分などが付着して検査対象液の吸液が阻害されることがない。また吸液体１５が非吸液性の保持体２０で筒状に囲まれていると、吸液された検査対象液が吸液体１５の表面などに余分に付着したり、吸液した吸液体１５が過剰に膨潤したりすることがない。そのため少量の検査対象液であっても精度よく検査を行うことができる。
【００３３】
細幅に形成された吸液性の吸液体１５は、非吸液性の保持体２０で筒状に囲まれた構造であるため、接液部１０ｅに接触させた検査対象液が吸液体１５だけに吸液され、少量の検査対象液であっても吸液体１５における液面が液体検査用具１０の内部側まで移動できる。しかも吸液体１５が厚み及び幅が長手方向に略一定に形成されているので、吸引した液量に対して液面が精度よく比例変位でき、少ない量の検査対象液であっても精度よく測定できる。
【００３４】
この液体検査用具１０では、吸液体１５が接液部１０ｅで保持体２０から露出すると共に、接液部１０ｅから離間した開放部２３で外部に連通しているので、吸液体１５が接液部１０ｅから検査対象液を吸液した際、内部に存在する空気が容易に開放部２３から排出できて吸液体１５内に存在する空気により吸引速度が低下することを防止できる。その結果、検査対象液を短時間で吸引して液体の測定を行うことが可能で、検査時間を短縮して精度よく測定を行うことができる。
【００３５】
この液体検査用具１０では、保持体２０が保持基部１１と表面カバー１９とを備えているので、吸液体２０を保持基部１１と表面カバー１９との間に挟持することで容易に吸液体２０を筒状に囲むことができる。
また開放部２３が保持基部１１、吸液体１５及び表面カバー１９を貫通する貫通孔からなるので、保持基部１１、吸液体１５及び表面カバー１９を積層して固定した後で貫通孔を形成することで、開放部２３を容易に製造することができる。
【００３６】
この液体検査用具１０では、吸液体１５の略全長の両側方には側縁に接する側方部が設けられ、吸液体１５及び両側方部が表面カバー１９により被覆されているので、吸液体１５の周囲に余分な空間がより生じ難く、測定精度をより向上できる。
【００３７】
この液体検査用具１０では、保持基部１１の両端近傍における各接液部１０ｅから離間した位置に、吸液体１５に付着した着色表示部１２が設けられているので、検査対象の液体が吸液体１５に吸引されて着色表示部１２に接触することで、吸液体１５に吸引された液体が視認し易い。しかも各接液部１０ｅから離間した位置に着色表示部１２が設けられているため、着色表示部１２の着色成分が検査対象の液体に溶解又は分散するものであっても、検査対象の液体が接液部１０ｅから外部へ拡散することを防止できる。例えば涙液メニスカスを測定する場合には着色成分が被検者の目に侵入することを防止できる。
【００３８】
なお上記実施形態は、本発明の範囲内において適宜変更可能である。
例えば上記では、開放部２３が保持基部１１、吸液体１５及び表面カバー１９を貫通する貫通孔からなる例について説明したが、例えば保持基部１１又は表面カバー１９の一方だけを貫通する孔により形成することも可能である。
また上記では、一つの吸液体１５に対して一つの開放部２３を設けたが、一つの吸液体１５に対して複数の開放部２３を設けて各開放部２３で吸液体１５を外部に連通していてもよい。
さらに上記では、開放部２３が吸液体１５の幅より大きく形成されているが、吸液体１５の幅と同等であっても、吸液体１５の幅より小さくてもよい。
上記では、保持体２０及び吸液体１５が一軸方向に延びた形状に形成した例について説明したが、曲線的に設けられていてもよく、屈曲していてもよい。
【００３９】
［第２実施形態］
図４及び図５は、第２実施形態の液体検査用具を示す。
この実施形態の液体検査用具１０では、正面視において両端に接液部１０ｅが設けられている。ここでは吸液体１５が複数設けられており、複数の吸液体１５がそれぞれ異なる接液部１０ｅで露出している。また一端側の吸液体１５と他端側の吸液体１５とは同じ形状に形成されている。
【００４０】
両端の接液部１０ｅ間の中間位置には一端側の吸液体１５と他端側の吸液体１５とを隔離するための隔離部１７が設けられている。隔離部１７には吸液体１５が配置されておらず、一方の接液部１０ｅ側と他方の接液部１０ｅ側とで互いに異なる形状を有する貫通孔からなる開放部２３が設けられている。この実施形態では、一方の開放部２３ａよりも他方の開放部２３ｂの直径が目視により区別可能な程度に大きく形成されている。各開放部２３ａ，２３ｂは互いに異なる位置に設けられ、一端側の吸液体１５と他端側の吸液体１５とが外部に露出している。
その他の構成は、第１実施形態と同様である。
【００４１】
第２実施形態の液体検査用具１０を用いて検査対象液の測定を行うには、一方の接液部１０ｅ及び吸液体１５を用いて、第１実施形態と同様にして検査を行うことができる。
その後、液体検査用具１０を反転させて把持し、他方の接液部１０ｅ及び吸液体１５を用いて検査を行う。他端の接液部１０ｅを他方の目の下眼瞼に接触させ、涙液が他方側の吸液体１５に接触することで、毛細管現象により吸引される。吸引された涙液は着色表示部１２に接触し、着色表示部の着色材料と共に液界面が隔離部１７側に移動し、涙液量に応じた量が吸液体１５に吸引され、液体の界面の到達位置を目盛り２１により確認して涙液量を測定する。
これにより、同じ液体査用具１０を用いて一端側と他端側とで、２回の検査を実施し、例えば被検者の両眼の液体メニスカスを測定する。
【００４２】
以上のような液体検査用具１０であっても、第１実施形態と同様の作用効果が得られる。
しかも第２実施形態の液体検査用具１０では、複数の吸液体１５が互いに離間して設けられ、それぞれ異なる開放部２３ａ，２３ｂ及び接液部１０ｅで露出しているので、一つの液体検査用具で液体の測定を複数回実施できることに加え、吸液速度の速い吸液体１５を用いていても、一端側の吸液体１５で吸液した検査対象液が他端側に到達するようなことがなく、複数回の検査が検査時間を短縮して確実に実施でき、使い勝手がよい。
【００４３】
また複数の貫通孔からなる開放部２３ａ，２３ｂを有し、それぞれ異なる形状で異なる位置に設けられているので、複数の開放部２３ａ，２３ｂの配置関係を視認することで、液体検査用具１０の向きを容易に把握でき、両端の接液部１０ｅを目視により容易に区別できる。そのため両端の接液部１０ｅを順次使用して液体の量の検査を行う際、液体検査用具１０の向きを瞬時に確認して使用でき、検査時の液体検査用具１０の取り扱いが容易である。
【００４４】
［変形例］
上記第２実施形態では、開放部２３ａ，２３ｂとして直径の異なる円形の貫通孔を設けることで、形状の相違により左右を判別し易くしたが、適宜変更可能である。
例えば両端側の吸液体１５にそれぞれ開放部２３ａ，２３ｂを設ける場合、図６に示すように、開放部２３ａ，２３ｂの一方を多角形等の異形形状にし、他方を円形形状にしてもよく、さらに互いに異なる異形形状を組み合わせて開放部２３ａ，２３ｂを構成してもよい。
また両端側の吸液体１５に対して一つの開放部２３を設ける場合、図７に示すように、両接液部１０ｅ側の吸液体１５間の隔離部を開放部２３により構成し、この開放部２３の一方の接液部１０ｅ側の形状を円弧形状とし、他方の接液部１０ｅ側の形状を多角形とするなど、開放部２３を異形形状に形成してもよい。
【００４５】
さらに、上記第１及び第２実施形態では、保持体２０は接液部１０ｅが設けられた長手方向端部付近を除き、全長で略一定幅に形成した例について説明したが、形状は限定されるものではなく、適宜変更可能である。
例えば図８に示すように、保持体２０が長手方向中腹部から接液部１０ｅ側に向けて徐々に幅が狭くなる先細り形状に形成することも可能である。このようにすれば、接液部１０ｅの幅を狭く形成でき、接液部１０ｅを涙液メニスカス等の検査対象液が貯留される位置に接触させ易くできる。
【実施例】
【００４６】
以下、本発明の実施例について説明する。
各実施形態と同様に、収液体１５と、保持基部１１、側方部１３及び表面カバー１９を有する保持体２０と、を備えて収液体１５の両端が接液部１０ｅと貫通孔からなる開放部２３とで露出して外部に連通した液体検査用具１０を複数作製した。
保持基部１１としてはプラスチックフィルムテープ／アクリル系粘着剤、側方部１３としてはウレタンシート、表面カバー１９としてはウレタンフィルムテープ／アクリル系粘着剤をそれぞれ用いた。吸液体１５としては、幅が０．９ｍｍ、厚みが０．４ｍｍ、長さが４２ｍｍで、坪量４０ｇ／ｍ2、密度が０．１ｇ／ｃｍ3のレーヨン／パルプ複合不織布を用いた。
【００４７】
アクリル樹脂部材又はフッ素樹脂部材（ポリテトラフルオロエチレン）に断面略Ｖ字状の溝からなる貯留部を形成し、各貯留部に検査対象液として生理食塩水を１μＬ乃至５μＬ貯留した。
液体検査用具１０の接液部１０ｅを貯留部に貯留した検査対象液に５秒間接触させた直後の液面位置を測定し、その後貯留部から離間させた状態で５分間放置した後の液面位置を測定し、実施例１乃至１２の吸液試験を行った。
【００４８】
吸液試験の結果を表１、図９及び図１０に示す。
なお吸液体１５の長さが４２ｍｍのため、液面位置が４２ｍｍでは吸液体１５の全長に吸液されたことを示す。
【００４９】
【表１】
2016000061.tif 000003
【００５０】
表１から明らかように、実施例１〜実施例１２の何れにおいても、接液部に検査対象液を接触させることで、液面位置を５秒間で十分に比較可能な程度まで上昇させることができた。ここでは、濡れ性が異なる何れの貯留部に貯留された検査対象液であっても、液面位置を十分に上昇させることができた。
さらに実施例１，２，５，６，９，１０のように５秒間接触させた直後の液面位置は、実施例３，４，７，８，１１，１２に比べ、貯留部に貯留された検査対象液の量に対して高い相関が得られることが確認できた。一方、実施例３，４，７，８，１１，１２のように長時間放置した場合には、液面位置をより上昇することが確認できた。
【符号の説明】
【００５１】
１０  液体検査用具
１０ｅ  接液部
１１  保持基部
１２  着色表示部
１３  側方部
１５  吸液体
１７  隔離部
１９  表面カバー
２０  保持体
２１  目盛り
２３，２３ａ，２３ｂ  開放部
【図１】
2016000061.tif 000004
【図２】
2016000061.tif 000005
【図３】
2016000061.tif 000006
【図４】
2016000061.tif 000007
【図５】
2016000061.tif 000008
【図６】
2016000061.tif 000009
【図７】
2016000061.tif 000010
【図８】
2016000061.tif 000011
【図９】
2016000061.tif 000012
【図１０】
2016000061.tif 000013